(57)【要約】【課題】在庫管理を行う者への支援を強化する。【解決手段】在庫管理装置１は、制御部が、製品の在庫状況を特徴付ける第１のパラメータと、製品の在庫状況を特徴付ける第２のパラメータとで構成される座標軸上で所定角度を有する回帰直線１１０を設定するとともに、回帰直線１１０から距離０以上乖離した矩形選択領域１２０を設定し、設定した回帰直線１１０および選択領域１２０とプロットした散布図を表示部に表示する制御を実行する。【選択図】図５
2015185006.tif 000002
【特許請求の範囲】
【請求項１】
製品の在庫状況を特徴付ける第１のパラメータと、製品の在庫状況を特徴付ける第２のパラメータとで構成される座標軸において、複数種類の製品ごとに対応する点をプロットした散布図を表示する表示部を備え、製品の在庫管理の意思決定を支援する在庫管理装置であって、
前記在庫管理装置の制御部は、
前記座標軸上で所定角度を有する回帰直線を設定するとともに、前記回帰直線から乖離する方向に、前記プロットした散布図を分類する分類範囲を前記矩形選択領域として設定し、
設定した前記回帰直線および前記矩形選択領域と前記プロットした散布図を前記表示部に表示する制御を実行する
ことを特徴とする在庫管理装置。
【請求項２】
前記制御部は、
前記座標軸に販売合計と平均在庫をとって前記散布図を表示する場合、前記プロットした散布図を分類するための基準線を前記回帰直線として設定し、過剰在庫の状態、欠品の可能性が高い状態、または適正在庫の状態である品目の分類を支援する制御を実行する
ことを特徴とする請求項１に記載の在庫管理装置。
【請求項３】
前記制御部は、
設定した前記矩形選択領域の品目リストまたは品目数を前記表示部に表示する制御を実行する、または、
前記品目リストの選択または前記品目数の変更により前記矩形選択領域を変更する制御を実行する
ことを特徴とする請求項１または請求項２に記載の在庫管理装置。
【発明の詳細な説明】
【技術分野】
【０００１】
本発明は、製品の在庫管理装置に関する。
【背景技術】
【０００２】
製造業、物流業、小売業などの事業を営む企業は、非常に多くの種類（例：数千単位や数万単位）の製品の在庫管理を行う。在庫管理においては、在庫の過剰または在庫の欠品などといった問題が発生し得るので、そのような問題を早期に発見し、解消する必要がある。しかし、在庫管理に関する問題は製品ごとに発生するため、本来であれば、そのような問題を解消するための手順も製品ごとに決定する必要がある。しかし、在庫管理する製品の種類が非常に多いため、そのような手順の決定には膨大な手間と時間とを要する。
【０００３】
特許文献１には、製品ごとにプロットした散布図を表示して、特定の製品に関する在庫管理上の問題を発見することを支援する技術について記載されている。
【先行技術文献】
【特許文献】
【０００４】
【特許文献１】特開２０１１−１８０６７７号公報
【発明の概要】
【発明が解決しようとする課題】
【０００５】
しかし、ある特定の分野では、画面領域に対して斜めの矩形での選択が必要な場合があるため、在庫管理を行う者への支援において改善の余地が残されている。
【０００６】
そこで、本発明は、前記した問題を解決するために、在庫管理を行う者への支援を強化することを目的とする。
【課題を解決するための手段】
【０００７】
前記課題を解決するため、本発明による在庫管理装置は、製品の在庫状況を特徴付ける第１のパラメータと、製品の在庫状況を特徴付ける第２のパラメータとで構成される座標軸において、複数種類の製品ごとに対応する点をプロットした散布図を表示する表示部を備え、製品の在庫管理の意思決定を支援する在庫管理装置であって、前記在庫管理装置の制御部は、前記座標軸上で所定角度を有する回帰直線を設定するとともに、前記回帰直線から乖離する方向に、前記プロットした散布図を分類する分類範囲を前記矩形選択領域として設定し、設定した前記回帰直線および前記矩形選択領域と前記プロットした散布図を前記表示部に表示する制御を実行することを特徴とする。
【発明の効果】
【０００８】
本発明によれば、在庫管理を行う者への支援を強化することができる。
【図面の簡単な説明】
【０００９】
【図１】本発明の実施形態に係る在庫管理装置のソフトウェア構成図である。
【図２】上記実施形態に係る在庫管理装置の製品マスタＴ１のデータ構造の一例を示す図である。
【図３】上記実施形態に係る在庫管理装置の製品の在庫管理の運用実績を示す実績情報を登録しているデータベースを示す図である。
【図４】上記実施形態に係る在庫管理装置の生産実績、販売実績、在庫実績の具体例を示す図である。
【図５】上記実施形態に係る在庫管理装置の散布図の表示例を示す図である。
【図６】上記実施形態に係る在庫管理装置の散布図上の領域選択を説明する図である。
【図７】上記実施形態に係る在庫管理装置の散布図上の領域選択の有効性を説明する図である。
【図８】上記実施形態に係る在庫管理装置の散布図上の領域選択の補助機能を説明する図である。
【図９】上記実施形態に係る在庫管理装置の散布図上の領域選択の基準線算出を説明する図である。
【図１０】上記実施形態に係る在庫管理装置の分析例１における散布図を示す図である。
【図１１】上記実施形態に係る在庫管理装置の分析例２における散布図を示す図である。
【図１２】上記実施形態に係る在庫管理装置の分析例３における散布図を示す図である。
【図１３】上記実施形態に係る在庫管理装置の分析例４における散布図を示す図である。
【図１４】上記実施形態に係る在庫管理装置の分析例５における散布図を示す図である。
【図１５】上記実施形態に係る在庫管理装置の分析例６における散布図を示す図である。
【発明を実施するための形態】
【００１０】
以降、本発明を実施するための形態（「本実施形態」という）を、図などを参照しながら詳細に説明する。また、本実施形態を説明するための全図において、同一部には原則として同一の符号を付し、その繰り返しの説明は省略する。
【００１１】
[構成]
本実施形態に係る在庫管理装置１は、入力部、出力部、制御部および記憶部といったハードウェアを含むコンピュータである。入力部は、例えば、入力インタフェースから構成されており、ポインティングデバイスなどのユーザが操作する手段を含む。出力部は、例えば、出力インタフェースから構成されており、ディスプレイなどの表示部を含む。制御部は、例えば、ＣＰＵ（Central Processing Unit）や専用回路から構成される。記憶部は、例えば、ＲＡＭ（Random Access Memory）、ＲＯＭ（Read Only Memory）、ＨＤＤ（Hard Disk Drive）、フラッシュ（登録商標）メモリの記憶媒体から構成される。前記制御部がＣＰＵから構成される場合、その制御部を含むコンピュータによる情報処理は、ＣＰＵによるプログラム実行処理で実現する。また、そのコンピュータが含む記憶部は、ＣＰＵが指令し、そのコンピュータの機能を実現するためのプログラム（在庫管理用のプログラムを含む）を記憶する。これによりソフトウェアとハードウェアの協働が実現される。
【００１２】
本実施形態は、前記情報処理を実行させるプログラムによって実現することができ、そのプログラムをコンピュータによる読み取り可能な記録媒体（例：ＣＤ−ＲＯＭ）に記憶して提供することができる。また、そのプログラムを、インターネットなどのネットワークを通して提供することもできる。
【００１３】
図１に示すように、在庫管理装置１は、ＸＹ軸項目選択手段１１と、散布図生成手段１２と、品目抽出手段１３と、製品マスタＴ１と、実績データＴ２といったソフトウェアの構成要素を備えている。
【００１４】
ＸＹ軸項目選択手段１１は、在庫管理装置１の表示部に表示する二次元の散布図の横軸（Ｘ軸）に定める項目と、縦軸（Ｙ軸）に定める項目とを選択する。この項目は、製品の在庫状況を特徴付けるパラメータ（第１のパラメータ、第２のパラメータ）であり、例えば、所定期間内の製品の在庫量や、所定期間内の製品の販売量がある。また、項目の選択は、例えば、在庫管理装置１の入力部によるＧＵＩ（Graphical User Interface）操作として実現できる。
【００１５】
散布図生成手段１２は、ＸＹ軸項目選択手段１１によって決定した横軸と、縦軸とによって構成される散布図を生成する。この散布図には、製品マスタＴ１と、実績データＴ２とに登録されている製品の全部または一部に対応する点がプロットされる。つまり、散布図生成手段１２は、製品マスタＴ１と、実績データＴ２とに記憶されている製品の在庫管理に関するパラメータの値を参照して、その製品に対応する点を散布図の所定の位置にプロットする。
散布図生成手段１２は、座標軸上で所定角度を有する回帰直線を設定するとともに、当該回帰直線から距離０以上乖離した矩形選択領域を設定し、設定した回帰直線および選択領域とプロットした散布図を表示部に表示する。
【００１６】
品目抽出手段１３は、散布図生成手段１２が生成した散布図にプロットされている点の一部を含む矩形選択領域を選択することで、その矩形選択領域に対応する品目を抽出する。また、品目抽出手段１３は、入力部によって散布図上の１または複数の点を選択することで、品目を抽出してもよい。
【００１７】
製品マスタＴ１は、在庫管理の対象となる製品の在庫実績を記憶するデータベースである。図２は、製品マスタＴ１のデータ構造の一例を示す図である。製品マスタＴ１は、「ＳＫＵ（Stock Keeping Unit）コード」、「事業グループ」、「カテゴリ」、「ブランド」、「日付」、「累積販売金額」、「在庫金額」といったフィールドを備えている。
「ＳＫＵコード」は、在庫管理の対象となる製品の識別番号（単に、製品コードと称する場合がある）である。
「事業グループ」は、在庫管理の対象となる製品の生産、販売などの事業グループの名称である。
「カテゴリ」は、在庫管理の対象となる製品を、特性、品質などで分類したときの分類の名称である。
「ブランド」は、在庫管理の対象となる製品の銘柄の名称である。
【００１８】
「日付」は、製品の在庫実績を決定する日であり、製品の在庫推移を日単位で追跡することができる。製品の種類などに応じて週、月、年を決定するようにし、週単位、月単位、年単位などで追跡してもよい。説明の便宜上、製品マスタＴ１は日単位の製品に関するレコードを備えているものとする。
「累積販売金額」は、該当する製品が「日付」が示す日までのある期間において、市場で販売されたときの実際の販売量の合計を金額として示したものである。説明の便宜上、金額として示すが、基本的には、製品の単価は決定されているので、製品の数量として示してもよい。
「在庫金額」は、該当する製品がその日において、所定のスペースで在庫されたときの実際の在庫量を金額として示したものである。
【００１９】
図２の製品マスタＴ１において、例えば、１行目のレコードに着目すると、ＳＫＵコード１００００１の製品は、Ｘ事業ＧＲが手がけたものであり、カテゴリＡに属するとともにブランドαという銘柄を備えている。そして、２０１３年２月１日において、これまでに￥４０，０００分の販売がなされ、￥７７，０００，０００分の金額に相当する在庫量が存在することが示されている。
なお、「事業グループ」、「カテゴリ」、「ブランド」は、後記する分類項目の選択候補となる。
また、「累積販売金額」、「在庫金額」は、後記する散布図のグラフのＸ軸（横軸）およびＹ軸（縦軸）となる特徴量（第１の特徴量、第２の特徴量）のひとつである。
製品マスタＴ１に登録される基本情報は、図２に示したものに限定されることはなく、例えば、他の基本情報を追加してもよいし、図２に示したものの一部を省略してもよい。
【００２０】
実績データＴ２は、製品の在庫管理の運用実績を示す実績情報を登録しているデータベースである。図３を参照すると、実績データＴ２は、「ＳＫＵコード」と、「在庫実績」と、「販売実績」と、いったフィールドを備え、製品ごとにレコードが作成されている。また、実績データＴ２は、例えば、１日の実績情報を複数まとめた形式で構成することができ、例えば１時間、１ヶ月、１年といった所定期間に亘る実績情報を複数まとめた形式で構成することもできる。また、例えば、所定の計算によって、１日の実績情報から１年の実績情報を作成することもできる。つまり、実績データＴ２は、任意の期間の実績情報を登録することができる。
【００２１】
「ＳＫＵコード」は、図２に示した「ＳＫＵコード」と同等である。
「在庫実績」には、製品の在庫量の値が登録されている。在庫量の値としては、例えば、数量で表現してもよいし、数量に製品の単価を乗じた金額で表示してもよい。また、製品の在庫量は、手元にある在庫の在庫量であってもよいし、手元にはないが受注があれば即座に調達できる在庫の在庫量も合わせた在庫量であってもよい。
「販売実績」には、製品の販売が完了した販売量の値が登録されている。販売量の値としては、例えば、数量で表現してもよいし、数量に製品の単価を乗じた金額で表示してもよい。
【００２２】
実績データＴ２に登録される実績情報は、図３に示したものに限定されることはなく、例えば、他の実績情報を追加してもよいし、図３に示したものの一部を省略してもよい。
なお、ＸＹ軸項目選択手段１１が散布図の横軸または縦軸として選択する項目には、製品マスタＴ１および実績データＴ２の構成するフィールドを項目として使用することができる。例えば、製品マスタＴ１の「調達リードタイム」、「ランク」または実績データＴ２の「在庫実績」、「販売実績」は、散布図の横軸または縦軸の項目になり得る。
【００２３】
また、製品マスタＴ１や実績データＴ２の１つの項目から計算することができるパラメータも、ＸＹ軸項目選択手段１１が選択する項目になり得る。例えば、実績データＴ２の「販売実績」の値を統計的に処理して製品の販売標準偏差を求めたとき、その販売標準偏差を散布図の横軸または縦軸にすることができる。
【００２４】
図４は、生産実績、販売実績、在庫実績の具体例を示す図である。図４（ａ）に示すように、ある製品の販売日と販売量を実績データＴ２（図１参照）に記憶する。図４（ｃ）に示すように、ある製品の在庫量を確認日とともに実績データＴ２（図１参照）に記憶する。
【００２５】
図５は、散布図の表示例を示す図である。図５に示すように、在庫管理装置１の表示部は、在庫管理用の画面としてダイアログｄ１を表示している。ダイアログｄ１の右側部分には、散布図表示領域Ｓが配置されており、散布図表示領域Ｓには、散布図生成手段１２が生成した散布図が表示されている。図５の散布図の点（○で表示）は、例えば図２に示されている製品マスタＴ１や実績データＴ２の値にしたがってプロットされている。
【００２６】
ダイアログｄ１の左側部分には、プルダウンメニューｂ１と、プルダウンメニューｂ２と、コメントボタンｂ３と、抽出ボタンｂ４と、が配置されている。
【００２７】
プルダウンメニューｂ１は、散布図のＸ軸の項目を選択するための入力インタフェースであり、ＸＹ軸項目選択手段１１が具現化されたものである。ユーザがプルダウンメニューｂ１を操作して選択した項目は、散布図のＸ軸を構成する。図５では、ある期間における販売実績の合計である「販売実績合計」という項目を選択すると、ダイアログｄ１の散布図のＸ軸は、「販売実績合計」の座標軸となる。
【００２８】
プルダウンメニューｂ２は、散布図のＹ軸の項目を選択するための入力インタフェースであり、ＸＹ軸項目選択手段１１が具現化されたものである。ユーザがプルダウンメニューｂ２を操作して選択した項目は、散布図のＹ軸を構成する。図５では、ある期間における在庫量の平均値である「平均在庫実績」という項目を選択すると、ダイアログｄ１の散布図のＹ軸は、「平均在庫実績」の座標軸となる。
【００２９】
コメントボタンｂ３は、在庫管理装置１の入力部が指定した散布図上の点に対応する製品に対して、所定のコメントを入力するための入力インタフェースである。コメントの入力の詳細に関しては後記する。
【００３０】
抽出ボタンｂ４は、散布図の領域の一部に含まれる点（領域の境界上にある点を含めてもよいし、含めなくてもよいが、本実施形態では含める。）に対応する製品を抽出するための入力インタフェースであり、品目抽出手段１３が具現化されたものである。
【００３１】
ダイアログｄ１の散布図では、座標軸上で所定角度を有する「回帰直線」と、この回帰直線から距離０以上乖離した矩形の「選択領域」とが設定され、設定した回帰直線および選択領域とプロットした散布図が表示される。なお、回帰直線および選択領域の設定は、散布図生成手段１２の機能による。
【００３２】
以下、上述のように構成された在庫管理装置１の散布図上の領域選択に関する手法について説明する。
ＰＣやスマートデバイスの画面上において、オブジェクトを範囲指定により選択する場合、一般的に画面領域と平行な矩形で選択する場合が多い。しかし、ある特定の分野では、画面領域に対して斜めの矩形での選択が必要な場合がある。例えば、散布図の分析において、クラスタの回帰直線から一定距離以上乖離したプロットを選択したい場合、座標軸上に対して斜めの矩形選択が有効である。
【００３３】
図６は、在庫管理装置１の散布図上の領域選択を説明する図である。散布図上の領域選択は、散布図生成手段１２の機能による。
<基本概念>
まず、図６（ａ）のＳＴＥＰ１に示すように、散布図表示領域Ｓ（図５参照）において、始点（Ａ）１０１を決定する。例えば、散布図のＸ軸に「販売実績合計」をとり、Ｙ軸に「平均在庫実績」を取った場合、「販売実績合計」および「平均在庫実績」の数値が最も小さい（０であってもよい）、散布図表示領域Ｓの左下の位置が始点となる。
【００３４】
次に、図６（ｂ）のＳＴＥＰ２に示すように、散布図表示領域Ｓ（図５参照）において、中間点（Ｂ）１０２を決定する。例えば、前記の場合、「販売実績合計」および「平均在庫実績」の数値が最も大きい、散布図表示領域Ｓの右上の位置である。そして、始点（Ａ）１０１から中間点（Ｂ）１０２までを直線のベースライン１１０（回帰直線）で結ぶ。このベースライン１１０は、散布図の矩形選択領域１２０（図７）である矩形の長辺（矩形選択領域１２０の長辺の長さ）１１１となる。
【００３５】
次に、図６（ｃ）のＳＴＥＰ３に示すように、散布図表示領域Ｓ（図５参照）において、ベースライン１１０から離間した任意の位置に終点（Ｃ）１０３を決定する。終点（Ｃ）１０３からベースライン１１０へ垂下した垂線の長さが矩形選択領域１２０の幅１１２となる。図６の場合、ベースライン１１０と、ベースライン１１０から離間し終点（Ｃ）１０３を含むベースライン１１０と平行な直線が矩形の長辺１１１を形成し、これら長辺１１１の端部同士を垂直に繋ぐ２本の直線が矩形の短辺（幅）１１２を形成し、各辺１１１,１１２で囲まれた矩形が選択領域（図６（ｃ）網掛け参照）を形成する。本実施形態は、この矩形選択領域１２０に散布図が有効に含まれるようにするものである。
このように、本実施形態に係る在庫管理装置１の散布図上の領域選択では、図６に示すように、最初にベースライン１１０を設定することで、分類する「境界線」を明示する。次に、終点（Ｃ）１０３の高さを設定することで、分類する「範囲」を明示する。
【００３６】
以上、二段階の設定方法によりユーザにとってそれぞれの操作目的が分かりやすくなる。この選択方法は、画面の水平方向に対し斜めの長方形の選択領域を指定する際に、ユーザにとって操作が簡単である。
【００３７】
なお、ＰＣの場合の操作の場合、例えば下記の操作となる。
始点の決定：マウスダウン
中間点の決定：マウスアップ
終点の決定：クリック
また、タブレットの場合、例えば下記の操作となる。
始点の決定：タッチ
中間点の決定：指を離す
終点の決定：タップ
【００３８】
<有効性>
図７は、在庫管理装置１の散布図上の領域選択の有効性を説明する図である。
ＰＣやスマートデバイスの画面上において、オブジェクトを範囲指定により選択する場合、一般的に画面領域と平行な矩形で選択する場合が多い。しかし、ある特定の分野では、画面領域に対して斜めの矩形領域での選択が必要な場合がある。図７の場合、散布図の散布図のＸ軸に「販売実績合計」をとり、Ｙ軸に「平均在庫実績」を取った場合、斜めのベースライン（回帰直線）１１０の下側領域は製品が欠品気味であることを示し、斜めのベースライン（回帰直線）１１０の上側領域は製品が過剰在庫気味であることを示す。
【００３９】
本発明者は、散布図の分析において、クラスタの回帰直線から一定距離（距離：０を含む）以上乖離したプロットを選択したい場合、画面領域に対して斜めの矩形選択が有効であることを見出した。また、図７に示すように、散布図生成手段１２は、画面領域に対してベースライン（回帰直線）１１０を斜めに取り、このベースライン（回帰直線）１１０から一定以上離れたプロットの領域を矩形選択領域１２０とする。例えば、販売と在庫を座標軸とし品目をプロットした散布図において、クラスタの回帰直線から上に離れたプロットは在庫が過剰であると判断できる。
【００４０】
<補助機能>
図８は、在庫管理装置１の散布図上の領域選択の補助機能を説明する図である。
図８は、前記図５に示した在庫管理装置１の表示部において、在庫管理用の画面のダイアログｄ１の右側部分の散布図表示領域Ｓの表示の一例を示す。図８に示すように、ダイアログｄ１の散布図表示領域Ｓの右側の上段に選択範囲内の「品目リスト」２０１を表示し、散布図表示領域Ｓの右側の下段に選択範囲内の「品目数」２０２を表示する。「品目リスト」２０１は、例えばＳＫＵコード毎の、名称、重要度、販売実績合計、および平均在庫実績である。「品目数」２０２は、全体と選択範囲のそれぞれについて、アイテム数、相関係数、販売実績合計、および平均在庫実績である。
【００４１】
正確な選択操作を補助するために、図８の符号ａに示すように、図６（ｃ）の選択操作ＳＴＥＰ３の終点決定中に、品目抽出手段１３（図１参照）は、下記の抽出を行う。すなわち、品目抽出手段１３（図１参照）は、散布図生成手段１２が生成した散布図にプロットされている点の一部を含む矩形選択領域１２０を選択することで、その矩形選択領域１２０に対応する品目を抽出する。具体的には、図８の符号ａに示す終点決定中において、選択操作中に選択範囲内の品目リスト２０１が更新される（図８の符号ｂ参照）。また、選択操作中に選択範囲内の品目数が更新される（図８の符号ｃ参照）。これにより、図８に示すように、散布図表示領域Ｓと、その右側の上下に、選択範囲内における「品目リスト」２０１および「品目数」２０２がリアルタイムで表示される。選択品目数を一定数に絞りたい場合、選択品目数を見ながら選択範囲を決定できる効果がある。
ここで、散布図生成手段１２は、品目リスト２０１の選択または品目数２０２の変更により矩形選択領域１２０を変更（再描画）するようにしてもよい。このようにすれば、品目リスト２０１の選択または品目数２０２の変更に応じて、より最適な分類範囲である矩形選択領域１２０を表示することができる。
【００４２】
<基準線算出>
図９は、在庫管理装置１の散布図上の領域選択の基準線算出を説明する図である。
図９は、前記図５に示した在庫管理装置１の表示部において、在庫管理用の画面のダイアログｄ１の右側部分の散布図表示領域Ｓの表示の一例を示す。図９に示すように、ダイアログｄ１の散布図表示領域Ｓの上段に基準線算出を導くためのダイアログボックス２０３を表示する。
【００４３】
ここで、基準線とは、散布図の選択の参考とするベースラインとなる直線である。基準線は、ｙ＝ａｘ＋ｂの式で表される。前記図５に示した在庫管理装置１の表示部において、在庫管理用の画面上で、ａとｂのパラメータを設定することで、任意の直線を当該散布図上に表示できる。例えば４５度線（ｘ＝ｙ）を表示する場合は、ａに１、ｂに０を設定する。図９は、ｙ＝ｘの直線を表示した例を示している。
図９の基準線が有効とされるのは、例えば以下の場合である。図９に示すように、横軸に販売合計、縦軸に平均在庫をとって散布図を表示する。但し、ある企業では、販売と在庫の適正なバランスが分からないか、目標在庫回転率のようなものがないとする。このとき、基準線として図９に示す回帰直線を使うことができる。基準線として回帰直線を使うと、過剰在庫の状態、欠品の可能性が高い状態（すなわち相対的にバランスの悪い）、適正在庫の状態である品目の分類を支援することができる。
また、散布図生成手段１２（図１参照）は、回帰直線ボタン２０４を押すと、当該散布図のクラスタから最小二乗法による回帰直線の式を計算し、傾きと切片をそれぞれａ，ｂの欄に自動で設定する。また、図９に示す「基準線と平行にする」をチェックすると、始点から中間点までの線が基準線と平行になるよう調整される。
【００４４】
[具体例]
<分析例１>
図１０は、分析例１における散布図を示す図であり、横軸に販売実績合計、縦軸に平均在庫をとって散布図を表示する。
図１０の符号ａに示すように、分析例１における散布図を参照すると、４５度線より上側にある品目は「在庫＞販売」であり、「過剰在庫」の品目として分類される。図１０に示すように、散布図生成手段１２は、画面領域に対してベースライン（回帰直線）１１０を斜めに取り、このベースライン（回帰直線）１１０から一定以上離れたプロットの領域を矩形選択領域１２０とする。ユーザは、当該品目群は生産調整や在庫破棄による在庫削減の対象となると判断することができる。
【００４５】
<分析例２>
図１１は、分析例２における散布図を示す図であり、横軸に販売実績合計、縦軸に平均在庫をとって散布図を表示する。
過剰在庫に対して策を講じる際、事業規模（販売高）が大きいものから優先的に対処した方が効率的に在庫を削減できることが経験的に知られている。
図１１の符号ａに示すように、分析例２における散布図を参照すると、４５度線の上側全体ではなく、売上や在庫高が高い「右上の領域」を中心に選択する。図１１に示すように、散布図生成手段１２は、画面領域に対してベースライン（回帰直線）１１０を斜めに取り、このベースライン（回帰直線）１１０から一定以上離れたプロットの領域を矩形選択領域１２０とし、かつ、矩形選択領域１２０は、売上や在庫高が高い「右上の領域」を中心に設定する。これにより、ユーザは、事業規模が一定以上の品目のみを選択できる。本実施形態では、このような領域を限定した選択も行うことができる。
【００４６】
<分析例３>
図１２は、分析例３における散布図を示す図であり、横軸に１年の販売実績合計、縦軸に１年の平均在庫をとって散布図を表示する。
図１２の符号ａに示すように、前記基準線機能を使ってｙ＝０．１ｘの直線を表示する。散布図生成手段１２は、このベースライン（回帰直線）１１０から一定以上離れたプロットの領域を矩形選択領域１２０とする。そして、分析例３における散布図を参照すると、ｙ＝０．１ｘの直線上にある品目は、過去一年の在庫回転率が１０回転とみなせる。この企業の目標在庫回転率が１０回転であるとすると、図１２の符号ｂに示すように、ユーザは直線より上の品目は計画未達（過剰在庫）と判断でき、在庫削減の対象として分類することができる。
【００４７】
<分析例４>
図１３は、分析例４における散布図を示す図であり、横軸に販売実績合計、縦軸に平均在庫をとって散布図を表示する。
この企業では、販売と在庫の適正なバランスが分からない（目標在庫回転率のようなものがない）とする。このような場合、図１３の符号ａに示すように、４５度線を基準にすると全て過剰在庫になり、前記基準線として不適当である。そこで、図１３の符号ｂに示すように、散布図生成手段１２は、画面領域に対してベースライン（回帰直線）１１０を斜めに取り、このベースライン（回帰直線）１１０から一定以上離れたプロットの領域を矩形選択領域１２０とする。図１３の符号ｃに示すように、相対的にバランスの悪い品目（ここでは過剰在庫の品目）を分類することができる。
【００４８】
<分析例５>
図１４は、分析例５における散布図を示す図であり、横軸に販売実績合計、縦軸に販売計画合計をとって散布図を表示する。
図１４の符号ａに示すように、分析例５における散布図を参照すると、４５度線より上側にある品目は「計画＞実績」であり、「計画未達」の品目として分類される。散布図生成手段１２は、画面領域に対してベースライン（回帰直線）１１０を斜めに取り、このベースライン（回帰直線）１１０から一定以上離れたプロットの領域を矩形選択領域１２０とする。ユーザは、当該品目群は販売のてこ入れや計画見直しなどの対象となると判断することができる。
【００４９】
<分析例６>
図１５は、分析例６における散布図を示す図であり、横軸に現在在庫、縦軸に安全在庫をとって散布図を表示する。
図１５の符号ａに示すように、分析例６における散布図を参照すると、４５度線より上側にある品目は現在の在庫が安全在庫を下回っている品目として分類される。散布図生成手段１２は、画面領域に対してベースライン（回帰直線）１１０を斜めに取り、このベースライン（回帰直線）１１０から一定以上離れたプロットの領域を矩形選択領域１２０とする。ユーザは、当該品目群は欠品のおそれがあり、早急な在庫補充が必要であると判断することができる。
【００５０】
この表示例において、斜めのベースライン（回帰直線）１１０から一定以上離れたプロットの領域を矩形選択領域１２０とすることにより、在庫の過剰が理論安全在庫の値が大きいことに起因する製品を特定することができる。つまり、その散布図の矩形選択領域１２０に含まれる製品は、在庫管理の都合上、欠品になることを極力避けるために比較的大きな理論安全在庫の値が設定された製品であるといえる。よって、ユーザは、このような製品の在庫を注意深く監視し、在庫の過剰の原因は理論安全在庫の値が大きいことであることを容易に特定することができる。
【００５１】
ここで、散布図の矩形選択領域１２０に含まれる製品は、販売標準偏差が大きく、販売高が大きく変動するため、理論安全在庫の値が大きくなっているが、ランクが大きく、欠品になると（安全在庫計数を大きくすると）、無視できないほどの影響を与える製品である場合がある。よって、ユーザは、このような製品については、サービスレベルを下げることはせず、注意深く監視すべきであると判断し、例えば、不定期不定量発注方式を取り入れるという方法を選択することができる。「不定期不定量発注方式」とは、発注するタイミングと発注量とを予測を用いて決定する方式であり、管理コストは大きいが、所望の在庫量に精度良く調整できるというメリットがある。
【００５２】
以上説明したように、本実施形態に係る在庫管理装置１は、制御部が、製品の在庫状況を特徴付ける第１のパラメータと、製品の在庫状況を特徴付ける第２のパラメータとで構成される座標軸上で所定角度を有する回帰直線１１０を設定するとともに、回帰直線１１０から距離０以上乖離した矩形選択領域１２０を設定し、設定した回帰直線１１０および矩形選択領域１２０とプロットした散布図を表示部に表示する制御を実行する。例えば、プロットした散布図を分類するためのベースラインを回帰直線１１０として設定し、回帰直線から乖離する方向に、プロットした散布図を分類する分類範囲を矩形選択領域１２０として設定する。
【００５３】
これにより、画面領域に対して斜めの矩形での選択が必要な場合（例えば、散布図の分析において、クラスタの回帰直線から一定距離以上乖離したプロットを選択したい場合）、座標軸上に対して斜めの矩形選択領域を表示し、在庫管理上の問題のある製品を特定し、その問題を解決する手法を決定することができる。在庫管理を行う者への支援を強化することができる。
【００５４】
また、本実施形態では、制御部は、設定した前記選択領域の品目リストまたは品目数を表示部にリアルタイムで表示する制御を実行することで、選択品目数を一定数に絞りたい場合、選択品目数を見ながら選択範囲を決定できる効果がある。
【００５５】
本発明は上記の実施形態例に限定されるものではなく、特許請求の範囲に記載した本発明の要旨を逸脱しない限りにおいて、他の変形例、応用例を含む。
例えば、本実施形態では、回帰直線１１０および矩形選択領域１２０を、１つの座標軸に対して１つずつ設定する例を示したが、１つの座標軸に対して各２つ以上設定してもよい。
また、回帰直線１１０または矩形選択領域１２０の形状は、本実施形態のものには限定されない。
【００５６】
また、在庫管理の運用の便宜上、製品マスタＴ１に設定されている項目を実績データＴ２の項目としてもよいし、実績データＴ２に設定されている項目を製品マスタＴ１の項目としてもよい。さらに、製品マスタＴ１と、実績データＴ２とを合わせた１つのデータベースを設計してもよい。
また、矩形選択領域１２０に含まれる点に対応する製品の在庫管理に関する特徴を強調表示してもよい。例えば、「在庫過剰」といったテキストを表示したり、矩形選択領域１２０の背景色や模様などを他の領域の背景色や模様などと異ならせたりしてもよい。
【００５７】
なお、本実施形態において、ハードウェアで実現した構成要素をソフトウェアで実現することができ、ソフトウェアで実現した構成要素をハードウェアで実現することができる。また、本実施形態に記載した技術的事項を適宜組み合わせて新たな技術を実現することができる。その他ハードウェア、ソフトウェア、データベース等の具体的な構成について、本発明の趣旨を逸脱しない範囲で適宜変更が可能である。
【符号の説明】
【００５８】
１  在庫管理装置
１１  ＸＹ軸項目選択手段
１２  散布図生成手段
１３  品目抽出手段
１１０  ベースライン（回帰直線）
１２０  矩形選択領域
２０１  品目リスト
２０２  品目数
Ｔ１  製品マスタ
Ｔ２  実績データ
【図１】
2015185006.tif 000003
【図２】
2015185006.tif 000004
【図３】
2015185006.tif 000005
【図４】
2015185006.tif 000006
【図５】
2015185006.tif 000007
【図６】
2015185006.tif 000008
【図７】
2015185006.tif 000009
【図８】
2015185006.tif 000010
【図９】
2015185006.tif 000011
【図１０】
2015185006.tif 000012
【図１１】
2015185006.tif 000013
【図１２】
2015185006.tif 000014
【図１３】
2015185006.tif 000015
【図１４】
2015185006.tif 000016
【図１５】
2015185006.tif 000017